(57)【要約】【課題】  内部で用紙が詰まって搬送ができなくなった場合、画像形成装置からの搬送は停止せず、内部に用紙をストックするような構成を有する用紙後処理装置を提供する。【解決手段】  画像形成装置１から受け取った用紙に対してパンチ穴穿孔、綴じ、折り処理などを行う用紙後処理装置２において、その内部の搬送路上流部に搬送路を開放できる開放機構１０、１１を備え、内部で用紙が詰まって搬送ができなくなった場合、前記画像形成装置１からの搬送は停止せず、前記搬送路開放手段１０、１１において搬送されて来る用紙をストックさせ、ジャム処理を内部でまとめて行う。  【選択図】  図１
2005335898.tif 000002
【特許請求の範囲】
【請求項１】
画像形成装置と、該画像形成装置から受け取った用紙に対して所要の後処理を施す用紙後処理装置とから構成される画像形成システムにおいて、前記用紙後処理装置内の搬送路上流部に搬送路を開放できる搬送路開放手段と、当該用紙後処理装置内に用紙が詰まって搬送ができなくなった場合、前記画像形成装置本体から当該用紙後処理装置への用紙の搬送は停止せず、前記用紙後処理装置の前記搬送路開放手段において前記画像形成装置から搬送されてくる用紙がストックされるように制御する制御手段と、を備えることを特徴とする画像形成システム。
【請求項２】
前記制御手段は、前記用紙後処理装置内で用紙の搬送ができなくなった場合、前記用紙後処理装置内の搬送路にある搬送ローラを停止させ、該前記搬送ローラ近傍に位置し、かつ用紙搬送方向と交わる方向で開閉可能なガイド板を開放して、前記画像形成装置から送られてくる用紙を前記用紙後処理装置の前記ガイド板の上部スペースにストックされるように制御することを特徴とする請求項１記載の画像形成システム。
【発明の詳細な説明】
【技術分野】
【０００１】
本発明は、画像形成装置と、画像形成装置から受け取った用紙に対してパンチ穴穿孔、綴じ、折り処理などの後処理を行う用紙後処理装置とから構成される画像形成システムに関するものである。
【背景技術】
【０００２】
従来から画像形成装置から受け取った用紙に対してこの用紙にパンチ穴穿孔、綴じ、折り処理などを行う用紙後処理装置が知られている（例えば特許文献１参照）。
【特許文献１】実開平５−５４４５５号公報
【発明の開示】
【発明が解決しようとする課題】
【０００３】
しかしながら、従来のシステムでは、用紙後処理装置内で用紙の搬送が停止すると、画像形成装置内でも用紙の搬送が停止してしまい、ユーザは詰まった用紙を取り除く作業を、用紙後処理装置と画像形成装置との両方に対して行わなければならず、手間と時間がかかってしまっていた。
又、用紙後処理装置内で用紙の搬送が停止してしまった後に、画像形成装置から用紙が搬送されてきた場合、用紙を搬送路から出さないと、搬送路内で皺や折れなどを発生した状態で詰まってしまう。
このため用紙を取り除きにくくなってしまう。さらに用紙後処理装置の搬送路上流にて用紙をストックしないと、用紙が複数箇所で詰まってしまうため、取り除きにくくなってしまう。
本発明は、上述した実情を考慮して、内部で用紙が詰まって搬送ができなくなった場合、画像形成装置からの搬送は停止せず、内部に用紙をストックするような構成を有する用紙後処理装置を提供することにある。
【課題を解決するための手段】
【０００４】
上記の課題を解決するために、請求項１に記載の発明は、画像形成装置と、該画像形成装置から受け取った用紙に対して所要の後処理を施す用紙後処理装置とから構成される画像形成システムにおいて、前記用紙後処理装置内の搬送路上流部に搬送路を開放できる搬送路開放手段と、当該用紙後処理装置内に用紙が詰まって搬送ができなくなった場合、前記画像形成装置本体から当該用紙後処理装置への用紙の搬送は停止せず、前記用紙後処理装置の前記搬送路開放手段において前記画像形成装置から搬送されてくる用紙がストックされるように制御する制御手段と、を備えることを特徴とする。
また、請求項２に記載の発明は、前記制御手段は、前記用紙後処理装置内で用紙の搬送ができなくなった場合、前記用紙後処理装置内の搬送路にある搬送ローラを停止させ、該前記搬送ローラ近傍に位置し、かつ用紙搬送方向と交わる方向で開閉可能なガイド板を開放して、前記画像形成装置から送られてくる用紙が前記ガイド板の上部スペースにストックされるように制御することを特徴とする。
【発明の効果】
【０００５】
本発明によれば、用紙後処理装置内で用紙が詰まっても、用紙はすべて用紙後処理装置内の搬送路および所定位置に存在させることができるため、従来のように用紙後処理装置 と画像形成装置の両方から用紙を取り除く必要が無く、ユーザの用紙取り除き作業が容易になる。
【発明を実施するための最良の形態】
【０００６】
以下、図面を参照して、本発明の実施の形態を詳細に説明する。図１は本発明の実施の形態に係る画像形成システムの概要を示す図である。
この図１に示すように、本実施の形態に係る画像形成システムは、画像形成装置１と用紙後処理装置２とから構成され、画像形成装置１から画像を複写された用紙が用紙後処理装置２へと搬送される。
用紙後処理装置２では、ユーザの要求によってパンチユニット３で用紙に穴を穿孔する処理、ステープルユニット５で用紙の整合・綴じ処理、折りユニット６でステープルユニット５において処理された紙束に対して折り処理を行うことができ、さらに排紙トレイ７、１４上に用紙を順々に積載することができる構成となっている。
図２は図１に示す用紙後処理装置の搬送路上流部に当たる部分、つまり図１中点線部分Ａを示す拡大図、図３は紙詰まり発生時の搬送路上流部の動作を示す概略図である。
用紙後処理装置２内で用紙の搬送が妨げられて、紙詰まりが発生した場合、画像形成装置１は用紙後処理装置２から用紙搬送停止の信号を受ける。それと同時に、画像形成装置１は新たに画像を形成する処理や、画像形成装置１に用紙を給紙する動作を停止させ、画像形成装置１内の搬送路に存在するすべての用紙を用紙後処理装置２へと搬送するようにしている。
一方、用紙後処理装置２では、その内部で紙詰まりが発生したと同時に、図２に示す用紙後処理装置２の搬送路上流部の搬送ローラ９を停止させるようにしている。
この場合、画像形成装置１はその内部の搬送路内に存在する用紙を搬送し続けるため、画像形成装置１の排出ローラ１２から用紙後処理装置２に対して用紙Ｐが搬送されてくる。このとき、用紙後処理装置２の搬送ローラ９は停止しているので、用紙Ｐの先端は停止している搬送ローラ９によって押さえられる。この状態でさらに画像形成装置１の排出ローラ１２が用紙Ｐを搬送し続けることで、用紙Ｐの後端が搬送されることによってできる撓みの力により、図３に示すように、搬送ローラ９近傍のガイド板１０もしくはガイド板１０、１１が押し上げられることになる。これにより、ガイド板１０もしくはガイド板１０、１１が開放され、用紙Ｐを空きスペースＫの部分に順々にストックすることができる。
なお、実際のジャムにおいては、先行する用紙の後端と次の用紙の先端とがぶつかったとしても、先行する用紙の後端はフリーな状態であるのに対し、次の用紙の先端は搬送ローラに挟まれて搬送されて来るため、次の用紙の搬送力によって押された先行の用紙後端は上下方向のどちらかに逃げることになる。このため搬送されて来る用紙は重なり合った状態でストックすることができる。
【０００７】
上記図３に示した例では、画像形成装置１から搬送されてくる用紙の撓み力によってガイド板１０もしくはガイド板１０、１１を開放するようにしているが、ガイド板を外部から力を加えることによって開放することも可能である。
図４は、外部から力によってガイド板を開放する場合の概略構成を示した図である。
この図４に示すように、ガイド板１０に電磁ソレノイド１４を取り付け、用紙後処理装置２内において紙詰まりが発生し、搬送ローラ９を停止すると同時に電磁ソレノイド１４によりガイド板１０を引き上げて開放することも可能である。
また、図２〜図４に示した画像形成システムでは、用紙後処理装置２の内部で紙詰まりが発生したときに、用紙後処理装置２内の搬送路において最も上流に位置する搬送ローラ９と、画像形成装置１の排出ローラ１２とを組み合わせるようにしているが、例えば、用紙後処理装置２内の搬送ローラを組み合わせて構成することももちろん可能である。
【０００８】
図５は、用紙後処理装置２内の搬送路の一部を拡大した拡大図、図６は、紙詰まりが発生した場合の図５に示す搬送路の動作を示した概略図である。
この場合は、用紙後処理装置２内で紙詰まりが発生したとき停止させる搬送ローラ１５と、その搬送ローラ１５の上流に位置していて搬送を続ける搬送ローラ１６との組み合わせにする。またこの場合、搬送ローラ１５と１６との間のガイド板１８を開放できるような構成にしておく。なお、搬送ローラ１５、１６の位置は特に限定されるものでなく、用紙後処理装置２内の搬送路に存在する搬送ローらであればいずれの搬送ローラでもよい。
この場合も、搬送ローラ１５は停止しているので用紙Ｐの先端は搬送ローラ９によって押さえられる。この状態でさらにその上流に位置する搬送ローラ１６が用紙Ｐを搬送し続けることで、用紙Ｐの撓み力により、図６に示すように、ガイド板１８が押し上げられ、ガイド板１８が開放されて用紙Ｐを所定場所に順々にストックすることができる。
この場合も、先行する用紙の後端はフリーな状態であるのに対し、次の用紙の先端は搬送ローラに挟まれて搬送されて来るため、搬送されてくる用紙を重なり合った状態でストックすることができる。
また図６においても、搬送ローラ１６により搬送されてくる用紙の撓み力によってガイド板１８を開放するようにしているが、ガイド板を外部から力を加えることによって開放することも可能である。
図６は、外部から力によってガイド板を開放する場合の概略構成を示した図である。
この図６に示すように、ガイド板１８に電磁ソレノイド１９を取り付け、用紙後処理装置２内において紙詰まりが発生し、搬送ローラ１６を停止すると同時に電磁ソレノイド１９によりガイド板１８を引き上げて開放することも可能である。
【０００９】
図８は、上記図３の動作を説明するフローチャートである。
なお、以下に説明する処理動作は、画像形成装置１内の図示しない制御部が実行するものとされる。
用紙後処理装置２内部において紙詰まりが発生すると（Ｓ１）、画像形成装置１内に用紙が残っているかどうかを判断する（Ｓ２）。用紙が残っていないならば、画像形成装置１を停止する（Ｓ３）。
画像形成装置１内に用紙が残っているならば、搬送ローラ９の搬送を停止（Ｓ４）し、新たに給紙して複写する処理を停止する（Ｓ５）。次いで、画像形成装置１搬送路内の用紙をすべて排出する（Ｓ６）。
画像形成装置１搬送路内の用紙をすべて排出したかどうかを判断し（Ｓ７）、内部の用紙をすべて排出しているならば、紙詰まり表示をユーザに対して行う（Ｓ８）。
図９は、上記図４の動作を説明するフローチャートである。用紙後処理装置２内部において紙詰まりが発生すると（Ｓ１１）、画像形成装置１内に用紙が残っているかどうかを判断する（Ｓ１２）。用紙が残っていないならば、画像形成装置１を停止する（Ｓ１３）。
画像形成装置１内に用紙が残っているならば、搬送ローラ９の搬送を停止（Ｓ１４）し、電磁ソレノイド１４をオンしてガイド板１０およびガイド板１０、１１を開放する（Ｓ１５）。新たに給紙して複写する処理を停止する（Ｓ１６）。次いで、画像形成装置１搬送路内の用紙をすべて排出する（Ｓ１７）。
画像形成装置１搬送路内の用紙をすべて排出したかどうかを判断し（Ｓ１８）、内部の用紙をすべて排出しているならば、紙詰まり表示をユーザに対して行って（Ｓ１９）、処理を終えることになる。
【００１０】
図１０は上記図６の処理動作を説明するフローチャートである。用紙後処理装置２内部において紙詰まりが発生すると（Ｓ２１）、画像形成装置１内に用紙が残っているかどうかを判断する（Ｓ２２）。用紙が残っていないならば、画像形成装置１を停止する（Ｓ２３）。
画像形成装置１内に用紙が残っているならば、搬送ローラ１５の搬送を停止（Ｓ２４）し、搬送ローラ１６は搬送を続ける。新たに給紙して複写する処理を停止する（Ｓ２５）。
次いで、画像形成装置１搬送路内の用紙をすべて排出する（Ｓ２６）。画像形成装置１搬送路内の用紙をすべて排出したかどうかを判断し（Ｓ２７）、内部の用紙をすべて排出しているならば、紙詰まり表示をユーザに対して行って（Ｓ２８）、処理を終えることになる。
図１１は、上記図７の動作を説明するフローチャートである。用紙後処理装置２内部において紙詰まりが発生すると（Ｓ３１）、画像形成装置１内に用紙が残っているかどうかを判断する（Ｓ３２）。用紙が残っていないならば、画像形成装置１を停止する（Ｓ３３）。
画像形成装置１内に用紙が残っているならば、搬送ローラ１５の搬送を停止（Ｓ３４）し、搬送ローラ１６は搬送を続ける。電磁ソレノイド１９をオンしてガイド板１７およびガイド板１７、１８を開放する（Ｓ３５）。新たに給紙して複写する処理を停止する（Ｓ３６）。次いで、画像形成装置１搬送路内の用紙をすべて排出する（Ｓ３７）。
画像形成装置１搬送路内の用紙をすべて排出したかどうかを判断し（Ｓ３８）、内部の用紙をすべて排出しているならば、紙詰まり表示をユーザに対して行って（Ｓ３９）、処理を終えることになる。
【図面の簡単な説明】
【００１１】
【図１】本発明実施の形態に係る画像形成装置システムの概略構成を示した図である。
【図２】図１に示した用紙後処理装置の搬送路上流部の構成を拡大して示した拡大図である。
【図３】図２に示した搬送上流部の概略動作概略図である。
【図４】外部から力によってガイド板を開放する場合の概略構成を示した図である。
【図５】用紙後処理装置２内の搬送路の一部を拡大した拡大図である。
【図６】図６は、紙詰まりが発生した場合の図５に示す搬送路の動作を示した概略図である。
【図７】外部から力によってガイド板を開放する場合の概略構成を示した図である。
【図８】図３の動作を実現するためのフローチャートである。
【図９】図４の動作を実現するためのフローチャートである。
【図１０】図６の動作を実現するためのフローチャートである。
【図１１】図７の動作を実現するためのフローチャートである。
【符号の説明】
【００１２】
１  画像形成装置、２  用紙後処理装置、９、１５、１６  搬送ローラ、１０、１１、１８  開放機構（ガイド板）、１４、１９  電磁ソレノイド
【図１】
2005335898.tif 000003
【図２】
2005335898.tif 000004
【図３】
2005335898.tif 000005
【図４】
2005335898.tif 000006
【図５】
2005335898.tif 000007
【図６】
2005335898.tif 000008
【図７】
2005335898.tif 000009
【図８】
2005335898.tif 000010
【図９】
2005335898.tif 000011
【図１０】
2005335898.tif 000012
【図１１】
2005335898.tif 000013